(57)【要約】      （修正有）【課題】マッサージ電極モジュールの方向及び伸縮量をアダプティブに調整することにより、金属電極シートと人体との良好なフィット状態を確保できるポータブルネックマッサージャーを提供する。【解決手段】ポータブルネックマッサージャーは、円弧状弾性ブラケット１１０と、円弧状弾性ブラケットの両端に設けられる第１及び第２ハンドルと、を備え、円弧状弾性ブラケットの内側には、円弧状弾性ブラケットの径方向に分布する少なくとも１組のマッサージ電極モジュール１４０が取り付けられ、マッサージ電極モジュールは、取り付けブラケットと、電極取付台を介して取り付けブラケットの前端に固定される金属電極シートと、を備え、取り付けブラケットの後端が弾性支持部材１４６に固定され、弾性支持部材は、円弧状弾性ブラケットの内側に固定して取り付けられ、径方向及び円周方向ともに弾性変位量を有する。【選択図】図４
0003226870.tif 000002
【実用新案登録請求の範囲】
【請求項１】
円弧状弾性ブラケットと、前記円弧状弾性ブラケットの両端に設けられる第１ハンドル及び第２ハンドルと、を備え、前記円弧状弾性ブラケットの内側には、前記円弧状弾性ブラケットの径方向に分布する少なくとも１組のマッサージ電極モジュールが取り付けられ、前記マッサージ電極モジュールは、取り付けブラケットと、電極取付台を介して前記取り付けブラケットの前端に固定される金属電極シートと、を備え、前記取り付けブラケットの後端が弾性支持部材に固定され、前記弾性支持部材は、前記円弧状弾性ブラケットの内側に固定して取り付けられ、径方向及び円周方向ともに弾性変位量を有する、ことを特徴とするポータブルネックマッサージャー。
【請求項２】
前記第１ハンドル及び前記第２ハンドルの内部には、それぞれバッテリー及び主制御回路基板が設けられ、前記主制御回路基板は、前記バッテリー、及び前記マッサージ電極モジュールに電気的に接続される、ことを特徴とする請求項１に記載のポータブルネックマッサージャー。
【請求項３】
前記電極取付台の内部には、相互に独立する少なくとも１組の前記金属電極シートが取り付けられ、前記金属電極シートは、それぞれ前記主制御回路基板に設けられる低周波パルス回路に接続される、ことを特徴とする請求項２に記載のポータブルネックマッサージャー。
【請求項４】
前記金属電極シートの下側には、電熱シートが設けられ、前記金属電極シート及び前記電熱シートはいずれも前記電極取付台に設けられる、ことを特徴とする請求項３に記載のポータブルネックマッサージャー。
【請求項５】
前記弾性支持部材は、螺旋状接続部と、固定台板と、前記螺旋状接続部の内部に設けられるばね溝と、を備え、前記取り付けブラケットの後端が前記螺旋状接続部の中心に固定され、前記螺旋状接続部は、中心を取り囲んで複数の螺旋状スリットを形成し、末端が前記固定台板に接続されるか、又は一体成形される、ことを特徴とする請求項１に記載のポータブルネックマッサージャー。
【請求項６】
前記弾性支持部材は、円錐ばね及びばね取付台を備え、前記取り付けブラケットの後端が前記円錐ばねの一端に固定され、前記円錐ばねの他端が前記ばね取付台を介して前記円弧状弾性ブラケットの内側に固定される、ことを特徴とする請求項１に記載のポータブルネックマッサージャー。
【請求項７】
前記弾性支持部材は、シリコン製接続部品と、接続移動台板と、複数の径方向ばねと、を備え、前記取り付けブラケットは、前記シリコン製接続部品を介して前記接続移動台板に固定して接続され、前記接続移動台板と前記円弧状弾性ブラケットとの間には、複数の前記径方向ばねが設けられる、ことを特徴とする請求項１に記載のポータブルネックマッサージャー。
【請求項８】
前記弾性支持部材は、シリコン製中空ベースであり、前記取り付けブラケットの後端が前記シリコン製中空ベースの最上部に固定され、前記シリコン製中空ベースはガスケット及び複数の径方向接続柱を介して前記円弧状弾性ブラケットの内側に固定される、ことを特徴とする請求項１に記載のポータブルネックマッサージャー。
【請求項９】
前記第１ハンドルは、第１外側ケースと第１内側ケースと、を備え、前記バッテリーがバッテリー固定フレームを介して前記第１外側ケース及び前記第１内側ケースで形成される収容キャビティに設けられ、前記第２ハンドルは、第２外側ケースと第２内側ケースと、を備え、前記主制御回路基板が回路基板ホルダを介して前記第２外側ケース及び第２内側ケースで形成される収容キャビティに取り付けられ、前記主制御回路基板には、前記第２外側ケースの表面に対応してスイッチボタン、周波数・モード調整用制御ボタンが設けられる、ことを特徴とする請求項２に記載のポータブルネックマッサージャー。
【請求項１０】
前記円弧状弾性ブラケットの内側には、ＬＥＤライトリング及び中間回路基板が弧形方向に設けられ、前記ＬＥＤライトリングが前記中間回路基板を介して前記主制御回路基板に接続される、ことを特徴とする請求項９に記載のポータブルネックマッサージャー。
【考案の詳細な説明】
【技術分野】
【０００１】
本考案は、マッサージ装置の技術分野に関し、特にポータブルネックマッサージャーに関する。
【背景技術】
【０００２】
社会経済の急速な発展に伴い、生活のペースがますます速くなり、特にスマートモバイル端末製品の普及により、人々の生活や仕事のあり方が大きく変わり、仕事、学習、日常生活では、人々の身体活動量がますます少なくなり、コンピュータの前に座り又は移動端末製品を手持つことで仕事や学習を行うようになり、日常の娯楽も移動端末に深刻に依存するため、人体が長時間に固定姿態を維持し、首部の筋肉が硬くなり、首部の筋肉が痛くなり、ひどい場合、頸椎へダメージを与える可能性がある。このようなことを長く続けると、人々の首部の健康についての問題がますますひどくなる。しかしながら、頭脳労働が肉体労働に取って代わる現在の技術時代では、このような仕事や学習又は日常生活のあり方を変えにくく、如何に首部健康状態を維持するかは緊急に解決しなければならない課題となり、様々な首部マッサージ装置が開示され、複数種のマッサージ方式により首部筋肉、血液及び頸椎を刺激することにより、首部健康の問題を効果的に緩和させることができる。
【０００３】
ネックマッサージャーは、構造が様々であり、用いるマッサージ方式も多くあり、その中でも、電子パルスマッサージャーは、低周波パルスによって首部をマッサージすることができ、筋肉をリラックスさせ、運動痛を軽減させ、体力を回復させることができる。電子パルスは、筋肉痛による運動、筋肉のけいれん、及び手根管症候群を軽減させ、やさしい電気パルスを用いて痛みを軽減させ、筋肉を刺激することができる。電子パルスに基づくネックマッサージャーは、一般的に、首部に適合する円弧状弾性ブラケットと、円弧状弾性ブラケットの両端に設けられる１組のハンドルと、を備え、ハンドルの内部には、バッテリー及び装置回路基板デバイスが集積されており、円弧状弾性ブラケットの内側には、人体の首部に対応してマッサージ電極などのマッサージデバイスが設けられる。しかしながら、従来のネックマッサージャーは、首部の大きさに応じて調整しにくいため、マッサージ電極モジュールが皮膚によくフィットできず、針で刺すような痛感をもたらし、ネックマッサージャーを首部にフィットされるために、従来のネックマッサージャーをさらに最適化させる必要がある。
【考案の概要】
【考案が解決しようとする課題】
【０００４】
本考案が解決しようとする技術的課題は、マッサージ電極モジュールが皮膚によくフィットできず、針で刺すような痛感をもたらすという技術的課題を解決する、ポータブルネックマッサージャーを提供することを目的とする。
【課題を解決するための手段】
【０００５】
上記技術的課題を解決するために、本考案の技術案は、以下のとおりである。
ポータブルネックマッサージャーであって、円弧状弾性ブラケットと、前記円弧状弾性ブラケットの両端に設けられる第１ハンドル及び第２ハンドルと、を備え、前記円弧状弾性ブラケットの内側には、前記円弧状弾性ブラケットの径方向に分布する少なくとも１組のマッサージ電極モジュールが取り付けられ、前記マッサージ電極モジュールは、取り付けブラケットと、電極取付台を介して前記取り付けブラケットの前端に固定される金属電極シートと、を備え、前記取り付けブラケットの後端が弾性支持部材に固定され、前記弾性支持部材は、前記円弧状弾性ブラケットの内側に固定して取り付けられ、径方向及び円周方向ともに弾性変位量を有する。
【０００６】
さらに、前記第１ハンドル及び前記第２ハンドルの内部には、それぞれバッテリー及び主制御回路基板が設けられ、前記主制御回路基板は、前記バッテリー、及び前記マッサージ電極モジュールに電気的に接続される。
【０００７】
さらに、前記電極取付台の内部には、相互に独立する少なくとも１組の前記金属電極シートが取り付けられ、前記金属電極シートは、それぞれ前記主制御回路基板に設けられる低周波パルス回路に接続される。
【０００８】
さらに、前記金属電極シートの下側には、電熱シートが設けられ、前記金属電極シート及び前記電熱シートはいずれも前記電極取付台に設けられる。
【０００９】
さらに、前記弾性支持部材は、螺旋状接続部と、固定台板と、前記螺旋状接続部の内部に設けられるばね溝と、を備え、前記取り付けブラケットの後端が前記螺旋状接続部の中心に固定され、前記螺旋状接続部は、中心を取り囲んで複数の螺旋状スリットを形成し、末端が前記固定台板に接続されるか、又は一体成形される。
【００１０】
さらに、前記弾性支持部材は、円錐ばね及びばね取付台を備え、前記取り付けブラケットの後端が前記円錐ばねの一端に固定され、前記円錐ばねの他端が前記ばね取付台を介して前記円弧状弾性ブラケットの内側に固定される。
【００１１】
さらに、前記弾性支持部材は、シリコン製接続部品と、接続移動台板と、複数の径方向ばねと、を備え、前記取り付けブラケットは、前記シリコン製接続部品を介して前記接続移動台板に固定して接続され、前記接続移動台板と前記円弧状弾性ブラケットとの間には、複数の前記径方向ばねが設けられる。
【００１２】
さらに、前記弾性支持部材は、シリコン製中空ベースであり、前記取り付けブラケットの後端が前記シリコン製中空ベースの最上部に固定され、前記シリコン製中空ベースは、ガスケット及び複数の径方向接続柱を介して前記円弧状弾性ブラケットの内側に固定される。
【００１３】
好ましくは、前記円弧状弾性ブラケットには、前記固定台板に対応して支持部材取付台が設けられ、前記支持部材取付台には、前記ばね溝に対応してばね固定ベースが設けられる。
【００１４】
さらに、前記円弧状弾性ブラケットは、カラーを介して前記第１ハンドル及び前記第２ハンドルのそれぞれに固定して接続され、前記円弧状弾性ブラケットと前記マッサージ電極モジュールとの間には、密封スリーブがさらに嵌設され、前記第１ハンドル及び前記第２ハンドルの内側には、それぞれ内側シリコンパッドが設けられる。密封スリーブは、円弧状弾性ブラケットの内部のデバイス及び回路を保護するために用いられ、シリコンスリーブ、ＰＥスリーブなどであってもよい。
【００１５】
さらに、前記第１ハンドルは、第１外側ケースと第１内側ケースと、を備え、前記バッテリーがバッテリー固定フレームを介して前記第１外側ケース及び前記第１内側ケースで形成される収容キャビティに設けられる。
【００１６】
さらに、前記第２ハンドルは、第２外側ケースと第２内側ケースと、を備え、前記主制御回路基板が回路基板ホルダを介して前記第２外側ケース及び第２内側ケースで形成される収容キャビティに取り付けられ、前記主制御回路基板には、前記第２外側ケースの表面に対応してスイッチボタン、周波数・モード調整用制御ボタンが設けられる。
【００１７】
好ましくは、前記主制御回路基板には、前記バッテリーに接続されるバッテリー充電デバイスが集積されており、前記第２ハンドルに対応する一方側には、インレット密閉部材が設けられる充電インレットが設けられる。
【００１８】
さらに、前記円弧状弾性ブラケットの内側には、ＬＥＤライトリング及び中間回路基板が弧形方向に設けられ、前記ＬＥＤライトリングが前記中間回路基板を介して前記主制御回路基板に接続される。
【００１９】
好ましくは、低周波パルス回路が中間回路基板又は主制御回路基板に設けられ、主制御回路基板には、ＭＣＵプロセッサ、モード選択回路、周波数調整回路、スピーカ、バッテリー充電管理回路などが集積されてもよい。
【考案の効果】
【００２０】
本考案の有益な効果は、以下のとおりである。
本考案の実施例のネックマッサージャーは、弾性支持部材によって径方向及び円周方向ともに所定の弾性変位量を有し、それにより、さまざまな使用者の首部に適用でき、良好な接触を維持する。また、マッサージ電極モジュールには、少なくとも１組の金属電極シートが設けられ、２組のマッサージ電極モジュールが設けられ、少なくとも４つの金属電極シートを形成することができ、４つの金属電極シートは、同時動作、交互動作、順次循環動作をすることができ、それぞれの金属電極シートの動作方式を制御することによって複数種の異なる低周波マッサージモードが得られ、それにより、良好なマッサージ効果を実現し、使用者体験を向上させる。
【００２１】
本考案の実施例又は従来技術の技術案をより明瞭に説明するために、以下、実施例又は従来技術の説明に必要な図面を用いて簡単に説明を行うが、当然ながら、以下説明される図面は、本考案の一部の実施例に過ぎず、当業者であれば、創造的な努力を必要とせずに、これらの図面に基づいて他の図面を想到しうる。
【図面の簡単な説明】
【００２２】
【図１】本考案の第１ポータブルネックマッサージャーの上面構造図である。
【図２】本考案の第１ポータブルネックマッサージャーの三次元構造図である。
【図３】本考案の第１ポータブルネックマッサージャーの正面構造図である。
【図４】本考案の第１ポータブルネックマッサージャーの断面構造図である。
【図５】本考案の第１マッサージ電極モジュールの三次元分解構造図である。
【図６】本考案の第１弾性支持部材の三次元構造図１である。
【図７】本考案の第１弾性支持部材の三次元構造図２である。
【図８】本考案の第２ポータブルネックマッサージャーの三次元構造図である。
【図９】本考案の第２弾性支持部材の正面構造図である。
【図１０】本考案の第３弾性支持部材の正面構造図である。
【図１１】本考案の第３ポータブルネックマッサージャーの正面構造図である。
【図１２】本考案の第３ポータブルネックマッサージャーの正面分解構造図である。
【図１３】本考案の第４弾性支持部材の正面構造図である。
【図１４】本考案のポータブルネックマッサージャーに係る低周波パルス回路の原理図である。
【考案を実施するための形態】
【００２３】
以下、図面を参照しながら、本考案の特定の実施形態をさらに説明する。ただし、これらの実施形態の説明は、本考案を理解するためのものであり、本考案に対する限定を構成しない。また、以下、説明される本考案の各実施形態に係る技術的特徴は、互いに矛盾しない限り、互いに組み合わせることができる。
【００２４】
実施例１
図１〜４に示すように、本考案の実施例は、ポータブルネックマッサージャー１００を提供し、前記ポータブルネックマッサージャー１００は、円弧状弾性ブラケット１１０と、前記円弧状弾性ブラケット１１０の両端に設けられる第１ハンドル１２０及び第２ハンドル１３０と、を備える。前記円弧状弾性ブラケット１１０の内側には、前記円弧状弾性ブラケット１１０の径方向に分布する少なくとも１組のマッサージ電極モジュール１４０が取り付けられ、前記マッサージ電極モジュール１４０は、取り付けブラケット１４４と、電極取付台１４３を介して前記取り付けブラケット１４４の前端に固定される金属電極シート１４１と、を備える。前記取り付けブラケット１４４の後端が弾性支持部材１４５に固定され、前記弾性支持部材１４５は、前記円弧状弾性ブラケット１１０の内側に固定して取り付けられ、前記弾性支持部材１４５は、径方向及び円周方向ともに弾性変位量を有する。弾性支持部材は、径方向及び円周方向に弾性変位量を発生させることで、異なる大きさの首部を有するさまざまな使用者の場合、マッサージ電極モジュールの方向及び伸縮量をアダプティブに調整することができ、それにより、金属電極シートと人体との良好なフィット状態を確保する。
【００２５】
前記第１ハンドル１２０及び前記第２ハンドル１３０の内部には、それぞれバッテリー１９０及び主制御回路基板１８０が設けられ、前記主制御回路基板１８０は、前記バッテリー１９０、前記マッサージ電極モジュール１４０に電気的に接続される。
【００２６】
図５に示すように、前記電極取付台１４３の内部には、相互に独立する少なくとも１組の前記金属電極シート１４１が取り付けられ、前記金属電極シート１４１は、それぞれ前記主制御回路基板１８０に設けられる低周波パルス回路に接続される。マッサージ電極モジュール１４０には、少なくとも１組の金属電極シート１４１が設けられ、２組のマッサージ電極モジュール１４０が設けられ、少なくとも４つの金属電極シート１４１を形成することができ、４つの金属電極シート１４１は、同時動作、交互動作、順次循環動作をすることができ、それぞれの金属電極シート１４１の動作方式を制御することによって、複数種の異なる低周波マッサージモードが得られ、それにより、良好なマッサージ効果を実現し、使用者体験を向上させる。
【００２７】
好ましくは、前記金属電極シート１４１の下側には、電熱シート１４２が設けられ、前記金属電極シート１４１及び前記電熱シート１４２はいずれも前記電極取付台１４３に設けられる。電熱シート１４２が設けられることによって、金属電極シートを加熱することができ、特に温度の低い季節では、電熱シート１４２によって金属電極シートが首部に柔らかくて快適に接触することを確保する。
【００２８】
図６、図７に示すように、第１弾性支持部材１４５は、螺旋状接続部１４５１と、固定台板１４５２と、前記螺旋状接続部１４５１の内部に設けられるばね溝１４５３と、を備える。前記取り付けブラケット１４４の後端が前記螺旋状接続部１４５１の中心に固定され、前記螺旋状接続部１４５１は、中心を取り囲んで複数の螺旋状スリットを形成し、末端が前記固定台板１４５２に接続されるか、又は一体成形される。ばね溝１４５３の内部には、ばね１４６が設けられ、弾性支持部材１４５は、弾性プラスチック材料で製造されるものであり、螺旋状接続部１４５１によって取り付けブラケット１４４が円周方向における所定の弾性変位量を有し、ばね１４６によって取り付けブラケット１４４が径方向における所定の弾性変位量を有する。
【００２９】
図９に示すように、第２弾性支持部材は、円錐ばね２４１と、ばね取付台２４２と、を備える。前記取り付けブラケット１の後端が前記円錐ばね２４１の一端に固定され、前記円錐ばね２４１の他端が前記ばね取付台２４２を介して前記円弧状弾性ブラケットの内側に固定される。円錐ばね２４１は、径方向及び円周方向ともに所定の弾性変位量を有する。
【００３０】
図１０に示すように、第３弾性支持部材は、シリコン製接続部品２４３と、接続移動台板２４４と、複数の径方向ばね２４５と、を備える。前記取り付けブラケットは、前記シリコン製接続部品２４３を介して前記接続移動台板２４４に固定して接続され、前記接続移動台板２４４と前記円弧状弾性ブラケットとの間には、複数の前記径方向ばね２４５が設けられる。シリコン製接続部品２４３によって取り付けブラケットが円周方向における所定の弾性変位量を有し、径方向ばね２４５によって接続移動台板２４４が径方向における所定の弾性変位量を有する。
【００３１】
図１３に示すように、第４弾性支持部材は、シリコン製中空ベース３４１であり、前記取り付けブラケットの後端が前記シリコン製中空ベース３４１の最上部に固定され、前記シリコン製中空ベース３４１がガスケット３４２及び複数の径方向接続柱３４３を介して前記円弧状弾性ブラケットの内側に固定される。シリコン製中空ベース３４１自体は、弾性を有し、ガスケット３４２及び複数の径方向接続柱３４３を介してシリコン製中空ベース３４１と円弧状弾性ブラケットの内側との間に所定のキャビティを形成し、それにより、シリコン製中空ベース３４１が径方向及び円周方向において所定弾性変位量を有することができる。
【００３２】
また、弾性支持部材１４５は、上記複数種の弾性支持部材のうちの１種を用いることができ、それに応じて、円弧状弾性ブラケット１１０の内側に対応して設けられる取り付け固定構造が変わる。
【００３３】
好ましくは、前記円弧状弾性ブラケット１１０には、前記固定台板１４５２に対応して支持部材取付台１１１が設けられ、前記支持部材取付台１１１には、前記ばね溝１４５３に対応してばね固定ベース１１２が設けられる。
【００３４】
図４に示すように、前記円弧状弾性ブラケット１１０は、それぞれカラー１６０を介して前記第１ハンドル１２０及び前記第２ハンドル１３０に固定して接続され、前記円弧状弾性ブラケット１１０と前記マッサージ電極モジュール１４０との間には、密封スリーブ１５０がさらに嵌設され、前記第１ハンドル１２０及び前記第２ハンドル１３０の内側には、それぞれ内側シリコンパッド１７０が設けられる。密封スリーブ１５０は、円弧状弾性ブラケット１１０の内部のデバイス及び回路を保護するために用いられ、シリコンスリーブ、ＰＥスリーブなどであってもよい。
【００３５】
前記第１ハンドル１２０は、第１外側ケース１２１と第１内側ケース１２２と、を備える。前記バッテリー１９０がバッテリー固定フレーム１２３を介して前記第１外側ケース１２１及び前記第１内側ケース１２２で形成される収容キャビティに設けられる。前記第２ハンドル１３０は、第２外側ケース１３１と第２内側ケース１３２と、を備える。前記主制御回路基板１８０が回路基板ホルダ１３３を介して前記第２外側ケース１３１及び第２内側ケース１３２で形成される収容キャビティに取り付けられ、前記主制御回路基板１８０には、前記第２外側ケース１３１の表面に対応して、スイッチボタン１８１、周波数・モード調整用制御ボタン１８２が設けられる。
【００３６】
好ましくは、前記主制御回路基板１８０には、前記バッテリー１９０に接続されるバッテリー充電デバイスが集積されており、前記第２ハンドル１３０に対応する一方側には、インレット密閉部材１３４が設けられる充電インレット１８３が設けられる。
【００３７】
図４に示すように、前記円弧状弾性ブラケット１１０の内側には、ＬＥＤライトリング２１０及び中間回路基板２００が弧形方向に設けられ、前記ＬＥＤライトリング２１０が前記中間回路基板２００を介して前記主制御回路基板１８０に接続される。
【００３８】
好ましくは、低周波パルス回路が中間回路基板２００又は主制御回路基板１８０に設けられ、主制御回路基板１８０にはＭＣＵプロセッサ、モード選択回路、周波数調整回路、スピーカ、バッテリー充電管理回路、無線通信デバイスなどが集積されてもよい。図１４に示すように、低周波パルス回路は、低周波発振器及び電気パルス出力回路からなり、低周波発振器は、掃引集積回路ＩＣｌ、抵抗器Ｒ３、Ｒ４、ポテンショメータＲＰ２、ダイオードＶＤ及びコンデンサーＣ３、Ｃ４からなる。電気パルス出力回路は、トランジスタＶ、電子スイッチ集積回路ＩＣ２、コンデンサーＣｌ、Ｃ２、抵抗器Ｒｌ、Ｒ２、ポテンショメータＲＰｌ、発光ダイオードＶＬ、昇圧トランスＴ及び出力コンセントＸＳからなる。電源スイッチＳを入れると、低周波発振器が通電して動作し、ＩＣ１の３ピンからローレベルパルス信号を出力し、該信号がＣ２を介してＶのベースに印加され、Ｖ及びＩＣ２の動作状態を制御する。ＩＣ１から出力される低周波パルス信号が正パルス信号である場合、Ｖがオンになることによって、ＩＣ２の２ピンがローレベルになり、ＩＣ２の内部の電子スイッチがオンになり、４ピンがハイレベルを出力し、同時にＶＬが発光し、ＩＣｌから出力される低周波パルス信号が負パルスである場合、Ｖがオフになることによって、ＩＣ２の２ピンがハイレベルになり、ＩＣ２の内部の電子スイッチが遮断し、４ピンがローレベルを出力し、ＶＬが消灯する。Ｖ及びＩＣ２が低周波パルス信号の作用で迅速かつ交互にオン・オフし、ＶＬが点滅発光し、Ｔの巻線Ｗ２に低周波パルス電流が発生する。該低周波パルス電流がＸＳに外付けした金属電極シートを介して首部に作用することで、首部をマッサージすることができる（筋肉をリラックスし又はつぼを刺激する）。
【００３９】
本実施例では、ＭＣＵプロセッサ、モード選択回路、周波数調整回路、スピーカ、バッテリー充電管理回路、無線通信デバイスは、いずれも従来のデバイスから選択され又は従来の回路構造原理を用いるため、詳しく説明しない。
【００４０】
実施例２
図８に示すように、本考案の実施例は、第２ポータブルネックマッサージャー２００を提供し、前記第２ポータブルネックマッサージャー２００は、円弧状弾性ブラケット２１０と、前記円弧状弾性ブラケット２１０の両端に設けられる第１ハンドル２２０及び第２ハンドル２３０と、を備える。前記円弧状弾性ブラケット２１０の内側には、前記円弧状弾性ブラケット２１０の径方向に分布する少なくとも１組のマッサージ電極モジュール２４０が取り付けられ、前記マッサージ電極モジュール２４０は、取り付けブラケットと、電極取付台を介して前記取り付けブラケットの前端に固定される金属電極シートと、を備える。前記取り付けブラケットの後端が弾性支持部材に固定され、前記弾性支持部材は、前記円弧状弾性ブラケット２１０の内側に固定して取り付けられ、径方向及び円周方向ともに弾性変位量を有する。弾性支持部材が径方向及び円周方向に弾性変位量を発生させることで、異なる大きさの首部を有するさまざまな使用者の場合、マッサージ電極モジュールの方向及び伸縮量をアダプティブに調整することができ、それにより、金属電極シートと人体との良好なフィット状態を確保する。
【００４１】
前記円弧状弾性ブラケット２１０は、それぞれカラー２６０を介して前記第１ハンドル２２０及び前記第２ハンドル２３０に固定して接続され、前記円弧状弾性ブラケット２１０と前記マッサージ電極モジュール２４０との間には、密封スリーブ２５０がさらに嵌設され、密封スリーブ２５０は、円弧状弾性ブラケット２１０の内部のデバイス及び回路を保護するために用いられ、シリコンスリーブ、ＰＥスリーブなどであってもよい。
【００４２】
実施例１に基づき、ポータブルネックマッサージャー２００は、コントローラ２７０をさらに備え、コントローラ２７０は、バックル２７１、接着、ボルトなどの取り外し可能な接続方式で第１ハンドル２２０又は第２ハンドル２３０の外側に設けられ、コントローラ２７０の内部には、主制御回路基板が集積されており、主制御回路基板には、コントローラ２７０の表面に対応してスイッチボタン２７２及び制御ボタン２７３が設けられる。第１ハンドル２２０及び第２ハンドル２３０のそれぞれには、バッテリー、充電板、低周波パルス回路基板及び対応する配置ブロックが設けられ、低周波パルス回路基板と充電板及びコントローラとは、例えばブルートゥース(登録商標)通信デバイスなどの無線通信デバイスを用いて信号交換を行うことができる。
【００４３】
実施例３
図１１、１２に示すように、本考案の実施例は、第３ポータブルネックマッサージャー３００を提供し、前記第３ポータブルネックマッサージャー３００は、円弧状弾性ブラケット３１０と、前記円弧状弾性ブラケット３１０の両端に設けられる第１ハンドル３２０及び第２ハンドル３３０と、を備える。前記円弧状弾性ブラケット３１０の内側には、前記円弧状弾性ブラケット３１０の径方向に分布する少なくとも１組のマッサージ電極モジュール３４０が取り付けられ、前記マッサージ電極モジュール３４０は、取り付けブラケットと、電極取付台を介して前記取り付けブラケットの前端に固定される金属電極シートと、を備える。前記取り付けブラケットの後端が弾性支持部材に固定され、前記弾性支持部材は、前記円弧状弾性ブラケット３１０の内側に固定して取り付けられ、径方向及び円周方向ともに弾性変位量を有する。
【００４４】
該弾性支持部材は、シリコン製中空ベース３４１であり、前記取り付けブラケットの後端が前記シリコン製中空ベース３４１の最上部に固定され、前記シリコン製中空ベース３４１がガスケット３４２及び複数の径方向接続柱３４３を介して前記円弧状弾性ブラケット３１０の支持部材取付台３１１の内側に固定される。
【００４５】
前記第１ハンドル３２０及び前記第２ハンドル３３０の内部には、それぞれバッテリー及び主制御回路基板が設けられ、前記主制御回路基板は、前記バッテリー、前記マッサージ電極モジュール３４０に電気的に接続される。円弧状弾性ブラケット３１０と前記マッサージ電極モジュール３４０との間には、密封スリーブ３５０がさらに嵌設され、密封スリーブ３５０は、円弧状弾性ブラケット３１０の内部のデバイス及び回路を保護するために用いられ、シリコンスリーブ、ＰＥスリーブなどであってもよい。
【００４６】
弾性支持部材は、径方向及び円周方向に弾性変位量を形成することで、異なる大きさの首部を有するさまざまな使用者の場合、マッサージ電極モジュールの方向及び伸縮量をアダプティブに調整することができ、それにより、金属電極シートと人体との良好なフィット状態を確保する。
本考案の実施例のネックマッサージャーは、弾性支持部材を介して、径方向及び円周方向ともに所定の弾性変位量を有し、それにより、異なる使用者の首部に適合でき、良好な接触を保持する。また、マッサージ電極モジュールには、少なくとも１組の金属電極シートが設けられ、２組のマッサージ電極モジュールが設けられ、少なくとも４つの金属電極シートを形成することができ、４つの金属電極シートは、同時動作、交互動作、順次循環動作をすることができ、それぞれの金属電極シートの動作方式を制御することによって、複数種の異なる低周波マッサージモードが得られ、それにより、良好なマッサージ効果を実現し、使用者体験を向上させる。
【００４７】
以上、図面を参照しながら、本考案の実施形態を詳細に説明したが、本考案は、説明した実施形態に限られない。当業であれば、本考案の原理や趣旨を逸脱することなく、これらの実施形態に対して行う様々な変化、補正、置換や変形は、本考案の特許請求の範囲内に含まれる。
【００４８】
なお、本考案の説明では、「中心」、「縦方向」、「横方向」、「長さ」、「幅」、「厚み」、「上」、「下」、「前」、「後」、「左」、「右」、「垂直」、「水平」、「頂」、「底」「内」、「外」、「時計回り」、「反時計回り」、「軸方向」、「径方向」、「円周方向」、「行」、「列」などの用語により示される方位又は位置関係は、図面に示される方位又は位置関係に基づくものであり、本考案の説明の便宜上及び説明の簡素化のためのものに過ぎず、示される装置又は素子が必ずし特定の方位を有したり、特定の方位で構想・操作されたりすることを指示又は示唆するものではなく、従って、本考案を制限するものではない。
【００４９】
さらに、用語「第１」、「第２」は、説明の目的に過ぎず、相対重要性を指示又は示唆し、又は示される技術的特徴の数を暗黙的に指示するものとして理解してはいけない。したがって、「第１」、「第２」により限定される特徴は、少なくとも１つのこの特徴を明示的または暗黙的に含む。本考案の説明において、「複数」とは、特に断らない限り、少なくとも２つ、たとえば２つ、３つなどであってもよい。
【００５０】
本考案では、別途明確な規定や限定がない限り、「取り付け」、「連結」、「接続」、「固定」「固定して接続される」などの用語は、広義に理解されるべきであり、たとえば、固定して接続されてもよく、取り外し可能に接続されてもよく、一体に接続されてもよい。機械的に接続されてもよく、電気的に接続されてもよい。直接連結してもよく、中間物を介して間接的に連結してもよく、２つの部品の内部が連通してもよく、２つの部品が相互作用してもよい。当業者であれば、具体的な状況に応じて、本考案特許での上記用語の意味を理解できる。
【００５１】
本考案特許において、別途明確な規定や限定がない限り、第１特徴が第２特徴の「上」又は「下」にあることは、第１特徴と第２特徴とが直接接触してもよく、又は第１特徴と第２特徴とが、その中間物を介して間接的に接触してもよい。また、第１特徴が第２特徴の「上」、「上方」及び「上面」にあることは、第１特徴が第２特徴の真上又は斜め上にあってもよく、又は第１特徴の水平高さが第２特徴より高いことを表してもよい。第１特徴が第２特徴の「下」、「下方」及び「下面」にあることは、第１特徴が第２特徴の直下又は斜め下にあってもよく、又は第１特徴の水平高さが第２特徴より低いことを表してもよい。
【図１】
0003226870.tif 000003
【図２】
0003226870.tif 000004
【図３】
0003226870.tif 000005
【図４】
0003226870.tif 000006
【図５】
0003226870.tif 000007
【図６】
0003226870.tif 000008
【図７】
0003226870.tif 000009
【図８】
0003226870.tif 000010
【図９】
0003226870.tif 000011
【図１０】
0003226870.tif 000012
【図１１】
0003226870.tif 000013
【図１２】
0003226870.tif 000014
【図１３】
0003226870.tif 000015
【図１４】
0003226870.tif 000016